(57)【要約】【課題】  陽極部材、誘電体部材及び陰極部材からなるコンデンサ素子と、前記コンデンサ素子の陽極部材及び陰極部材に夫々接続された陽極端子及び陰極端子と、前記コンデンサ素子を覆う外装樹脂とを具える固体電解コンデンサにおいて、プリント配線基板に実装する際の半田付けを良好なものとすることができるような陽極／陰極端子の構成を提供する。【解決手段】  本発明に係る固体電解コンデンサでは、前記陽極／陰極端子が、該固体電解コンデンサの下面及び該下面に繋がる第１／第２側面において前記外装樹脂から露出した部分を有し、前記第１／第２側面において外装樹脂から露出した陽極／陰極端子の第１／第２側面露出部に、前記下面に向けて開いた窪みが形成され、前記陽極／陰極端子に形成された窪みの表面が、メッキ層で覆われている。【選択図】  図４
2006108709.tif 000002
【特許請求の範囲】
【請求項１】
陽極部材、誘電体部材及び陰極部材からなるコンデンサ素子と、前記コンデンサ素子の陽極部材及び陰極部材に夫々接続された陽極端子及び陰極端子と、前記コンデンサ素子を覆う外装樹脂とを具える固体電解コンデンサであって、
前記陽極端子は、該固体電解コンデンサの下面及び該下面に繋がる第１側面において前記外装樹脂から露出した部分を有し、
前記第１側面において外装樹脂から露出した陽極端子の第１側面露出部には、前記下面に向けて開いた窪みが形成され、
前記窪みの表面は、メッキ層で覆われていることを特徴とする固体電解コンデンサ。
【請求項２】
陽極部材、誘電体部材及び陰極部材からなるコンデンサ素子と、前記コンデンサ素子の陽極部材及び陰極部材に夫々接続された陽極端子及び陰極端子と、前記コンデンサ素子を覆う外装樹脂とを具える固体電解コンデンサであって、
前記陰極端子は、該固体電解コンデンサの下面及び該下面に繋がる第２側面において前記外装樹脂から露出した部分を有し、
前記第２側面において外装樹脂から露出した陰極端子の第２側面露出部には、前記下面に向けて開いた窪みが形成され、
前記窪みの表面は、メッキ層で覆われていることを特徴とする固体電解コンデンサ。
【請求項３】
陽極部材、誘電体部材及び陰極部材からなるコンデンサ素子と、前記コンデンサ素子の陽極部材及び陰極部材に夫々接続された陽極端子及び陰極端子と、前記コンデンサ素子を覆う外装樹脂とを具える固体電解コンデンサであって、
前記陽極端子は、該固体電解コンデンサの下面及び該下面に繋がる第１側面において前記外装樹脂から露出した部分を有し、
前記陰極端子は、該固体電解コンデンサの下面及び該下面に繋がる第２側面において前記外装樹脂から露出した部分を有し、
前記第１側面において外装樹脂から露出した陽極端子の第１側面露出部には、前記下面に向けて開いた窪みが形成され、
前記第２側面において外装樹脂から露出した陰極端子の第２側面露出部には、前記下面に向けて開いた窪みが形成され、
前記陽極端子及び陰極端子に形成された窪みの表面は、メッキ層で覆われていることを特徴とする固体電解コンデンサ。
【請求項４】
前記第１側面と第２側面とは、互いに対向していることを特徴とする請求項３記載の固体電解コンデンサ。
【請求項５】
前記陽極端子の第１側面露出部及び／又は前記陰極端子の第２側面露出部に形成された窪みは、該固体電解コンデンサの上方に向けても開いていることを特徴とする請求項１、２、３又は４記載の固体電解コンデンサ。
【請求項６】
前記陽極端子の第１側面露出部及び／又は前記陰極端子の第２側面露出部において、前記窪みの周囲には、陽極端子及び／又は陰極端子の地金が露出していることを特徴とする請求項１、２、３、４又は５記載の固体電解コンデンサ。
【請求項７】
前記下面において外装樹脂から露出した陽極端子及び／又は陰極端子の下面露出部は、メッキ層で覆われていることを特徴とする請求項１、２、３、４、５又は６記載の固体電解コンデンサ。
【発明の詳細な説明】
【技術分野】
【０００１】
本発明は、コンデンサ素子が樹脂層で外装されたチップ型の固体電解コンデンサに関する。
【背景技術】
【０００２】
チップ型の固体電解コンデンサは、陽極部材、誘電体部材及び陰極部材からなるコンデンサ素子と、前記コンデンサ素子の陽極部材及び陰極部材に夫々接続された陽極端子及び陰極端子と、前記コンデンサ素子を覆う外装樹脂とを具える。一例として、前記コンデンサ素子は、陽極リード線の一端が埋設された焼結体ブロックの表面に、絶縁層、電解質層及び陰極層が形成された構成を有する。一般的なチップ型固体電解コンデンサは、陽極リード線及び陰極層にそれぞれ薄板状の端子を接合し、樹脂モールドによりコンデンサ素子の周囲に外装樹脂部を形成した後、端子の先端部が外装樹脂部の下面に配置されるようにこれら端子を屈曲して作成されている。しかしながら、チップ型固体電解コンデンサの小型化や低ＥＳＲ化に対する要求が強まるにつれて、このようなチップ型固体電解コンデンサでは構造的な限界が見えてきた。
【０００３】
さらなる小型化や低ＥＳＲ化を図るために考え出されたものの中に、特開２００１-４４０７７号等に開示されたチップ型固体電解コンデンサがある。このタイプの固体電解コンデンサでは、陽極端子が陽極引出線から垂下しており、陰極端子がコンデンサ素子の下面（さらには側面）と接合している。従来の固体電解コンデンサのように端子が側方へ引き出されていないので、コンデンサの小型化を図ることができ、端子の長さが短くなるので低ＥＳＲ化も図られる。
【０００４】
特開２００１-４４０７７号に記載された固体電解コンデンサの製造方法の概要を図９を用いて説明する。まず、図９（ａ）に示すように、陽極引出線（３２）が金属リボン（７）に固定されているコンデンサ素子（３１）に、メッキ処理されたＬ字状の陰極端子（３６）を導電性接着剤を用いて接着する。陰極端子（３６）の外表面は、外装樹脂部（３４）の形成の際に樹脂が直接付着しないように絶縁物（３６ａ）でマスキングされている。次に、図９（ｂ）に示すように、粉体塗装機を用いてコンデンサ素子（３１）を覆うように外装樹脂部（３４）を形成する。外装樹脂部（３４）は、陰極端子（３６）の外面を覆わないように形成する。そして、図９（ｃ）に示すように、絶縁物（３６ａ）を陰極端子（３６）の外面から除去する。最後に、図９（ｄ）に示すように、メッキ処理されたＬ字型の陽極端子（３５）を陽極引出線（３２）及び外装樹脂部（３４）に接合した後に、陽極引出線（３２）を切断して固体電解コンデンサを金属リボン（７）から分離する。
【特許文献１】特開２００１-６９７８号公報
【特許文献２】特開２００１-４４０７７号公報
【特許文献３】特開２００１-１１０６７６号公報
【発明の開示】
【発明が解決しようとする課題】
【０００５】
上記のような固体電解コンデンサの製造方法は、陰極端子（３５）を絶縁物（３６ａ）でマスキングする工程と、外装樹脂部（３４）を形成した後に該絶縁物（３６ａ）を除去する工程とを含んでいるので煩雑である。また、粉体塗装機を用いて外装樹脂部（３４）を形成するよりは、従来より一般的に行われているように樹脂モールドにより外装樹脂部（３４）を形成する方が、簡便に外装樹脂部（３４）を形成できる。よって、従来の製造方法に近い方法で、上記のような電極の引出及び折曲のないタイプの固体電解コンデンサを簡便に製造できることが望まれている。
【０００６】
しかしながら、従来方法に近い方法で上記のような固体電解コンデンサを製造する場合には、以下の問題がある。製造工程において使用される製造用フレーム（１）は、例えば、図１０（ａ）に示すように、陽極端子用部材（１２）と陰極端子用部材（１３）が対向するように内側に突出すると共に、これら端子用部材（１２）（１３）の対が製造用フレーム（１）の長手方向に複数配設されたものである。製造用フレーム（１）をメッキ処理してメッキ層（２３）を表面に形成した後に、コンデンサ素子（３１）の陽極引出線（３２）を陽極端子用部材（１２）に接合し、コンデンサ素子（３１）の下面を陰極端子用部材（１３）に接合する。そして、図１０（ｂ）に示すように、樹脂モールドによりコンデンサ素子（３１）を覆う外装樹脂部（３４）を形成する。
【０００７】
次に、固体電解コンデンサ（３）を製造用フレーム（１）から分離するために、図１０（ｃ）に示すように、陽極端子用部材（１２）及び陰極端子用部材（１３）を切断する。すると、切断面、すなわち陽極端子（３５）及び陰極端子の側面部はメッキ層（２３）で覆われていないから（側面部の縁部にメッキ層（２３）が形成されるだけである）、切断工程後、これら垂直面にメッキ処理工程を行う必要がある。その理由は、固定電解コンデンサが基板に実装されると、陽極端子（３５）及び陰極端子（３６）の側面部にも半田が付着するが、半田との接合強度を高めるには、これら側面部もメッキ層で覆われている必要があるからである。しかしながら、固体電解コンデンサの製造工程において、メッキ処理工程が２度も行われるのは不効率であり、また、分離後のメッキ処理は、固体電解コンデンサの１つ１つに対して個別に行うこととなるので極めて煩雑である。ゆえに、固体電解コンデンサの製造工程におけるメッキ処理は、製造フレーム（１）に対するメッキ処理のみであるのが好ましい。
【０００８】
本発明は、上記問題を解決するものであり、電極の引出及び折曲のないタイプの固体電解コンデンサを製造する工程において、メッキ処理を簡略化することができると共に、基板に実装する際の半田付けを安全且つ迅速に行える固体電解コンデンサを提供する。
【課題を解決するための手段】
【０００９】
本発明の第１の局面に係る固体電解コンデンサは、陽極部材、誘電体部材及び陰極部材からなるコンデンサ素子と、前記コンデンサ素子の陽極部材及び陰極部材に夫々接続された陽極端子及び陰極端子と、前記コンデンサ素子を覆う外装樹脂とを具える固体電解コンデンサであって、
前記陽極端子は、該固体電解コンデンサの下面及び該下面に繋がる第１側面において前記外装樹脂から露出した部分を有し、
前記第１側面において外装樹脂から露出した陽極端子の第１側面露出部には、前記下面に向けて開いた窪みが形成され、
前記窪みの表面は、メッキ層で覆われていることを特徴とするものである。
【００１０】
本発明の第２の局面に係る固体電解コンデンサは、陽極部材、誘電体部材及び陰極部材からなるコンデンサ素子と、前記コンデンサ素子の陽極部材及び陰極部材に夫々接続された陽極端子及び陰極端子と、前記コンデンサ素子を覆う外装樹脂とを具える固体電解コンデンサであって、
前記陰極端子は、該固体電解コンデンサの下面及び該下面に繋がる第２側面において前記外装樹脂から露出した部分を有し、
前記第２側面において外装樹脂から露出した陰極端子の第２側面露出部には、前記下面に向けて開いた窪みが形成され、
前記窪みの表面は、メッキ層で覆われていることを特徴とするものである。
【００１１】
本発明の第３の局面に係る固体電解コンデンサは、陽極部材、誘電体部材及び陰極部材からなるコンデンサ素子と、前記コンデンサ素子の陽極部材及び陰極部材に夫々接続された陽極端子及び陰極端子と、前記コンデンサ素子を覆う外装樹脂とを具える固体電解コンデンサであって、
前記陽極端子は、該固体電解コンデンサの下面及び該下面に繋がる第１側面において前記外装樹脂から露出した部分を有し、前記陰極端子は、該固体電解コンデンサの下面及び該下面に繋がる第２側面において前記外装樹脂から露出した部分を有し、
前記第１側面において外装樹脂から露出した陽極端子の第１側面露出部には、前記下面に向けて開いた窪みが形成され、前記第２側面において外装樹脂から露出した陰極端子の第２側面露出部には、前記下面に向けて開いた窪みが形成され、
前記陽極端子及び陰極端子に形成された窪みの表面は、メッキ層で覆われていることを特徴とするものである。
【００１２】
上記本発明の第１、第２及び／又は第３の局面に係る固体電解コンデンサにおいて、前記陽極端子の第１側面露出部及び／又は前記陰極端子の第２側面露出部に形成された窪みは、、該固体電解コンデンサの下面に向けて開くのみならず、上方に向けても開いた構成としてもよい。
【００１３】
上記本発明の第１、第２及び／又は第３の局面に係る固体電解コンデンサは、例えば以下のような工程を経て製造することができる。
【００１４】
その製造工程は、並列する一対のサイドフレーム部材の一方から陽極端子用部材が突出し、他方から陰極端子用部材が前記陽極端子用部材に対向するように突出すると共に、前記陰極端子用部材は、先端側が低くなるように段状に形成され、貫通孔が、前記陽極端子用部材、及び前記陰極端子用部材の高段部に夫々形成されている製造用フレームをメッキ処理する工程と、
メッキ処理後の前記製造用フレームの前記陽極端子用部材上面にコンデンサ素子の陽極引出線を接合し、前記陰極端子用部材の低段部上面に前記コンデンサ素子の下面を接合する工程と、前記貫通孔を残して、前記コンデンサ素子の周囲に外装樹脂部を形成する工程と、
前記陽極端子用部材に形成された貫通孔を通る垂直面と、前記陰極端子用部材に形成された貫通孔を通る垂直面とで製造用フレームを切断して、固体電解コンデンサを取り出す工程とを含み、
前記製造用フレームをメッキ処理する工程では、少なくともこれら垂直面より内側の領域にメッキ層が形成される。
【００１５】
上記製造工程において、貫通孔の代わりに、陽極端子用部材の下面、及び前記陰極端子用部材の高段部下面に凹部を形成してもよい。
【発明の効果】
【００１６】
本発明に係る固体電解コンデンサを製造するに当たっては、陽極端子用部材及び陰極端子用部材の夫々に貫通孔又は凹部が形成された製造用フレームを使用することができる。このような製造用フレームにメッキ処理を施してコンデンサ素子を接合し、コンデンサ素子を覆う外装樹脂部を形成した後に、貫通孔又は凹部を通る垂直面で製造用フレーム、すなわち陽極端子用部材及び陰極端子用部材を切断する。これによって固体電解コンデンサが製造用フレームから分離される。
【００１７】
陽極端子用部材及び陰極端子用部材が切断されると、製造用フレームから分離されたこれら部材の部分は、夫々固体電解コンデンサの陽極端子及び陰極端子になる。メッキ処理では、少なくとも前記垂直面より内側でメッキ層が形成されており、貫通孔又は凹部を通る垂直面で陽極端子用部材及び陰極端子用部材を切断しているので、陽極端子及び陰極端子の側面部における貫通孔又は凹部の内面を構成していた領域はメッキ層で覆われている。よって、固体電解コンデンサを製造用フレームから切り出した後に、電極に対してメッキ処理を行う必要がなく、従来の固体電解コンデンサの製造方法に近い工程で、電極の引出及び折曲のないタイプのチップ型固体電解コンデンサを製造することができる。また、貫通孔又は凹部を残して、すなわち、貫通孔又は凹部に樹脂が入らないように外装樹脂部を形成しているから、該領域を絶縁層等によって保護する必要はなく、陽極端子用部材及び陰極端子用部材を切断すれば固体電解コンデンサが完成する。
【００１８】
本発明に係る固体電解コンデンサにおいては、陽極端子及び陰極端子の側面部に窪みが形成されている。これら窪みは、実装面（下面）側に、又は実装面側に加えてその反対側（上方）にも開いており、固体電解コンデンサを実装基板に半田を用いて装着する場合、半田は、実装面側から窪みの底面に至って該底面と接合する。半田付けの際に、融けた半田の流動範囲が窪みによって制限されるので、半田が外装樹脂部へはみ出ることが防止される。よって、本発明の固体電解コンデンサによれば、半田のはみ出しを気にすることなく、基板への装着を安全且つ迅速に行える。
【発明を実施するための最良の形態】
【００１９】
以下、本発明の第１実施例によるチップ型固体電解コンデンサと、その製造方法について、図面を参照しながら説明する。図面において、従来方法における構成要素と、同一又は類似の構成要素には同じ符号を使用する。
【００２０】
図１を参照して、製造用フレーム（１）を作成する工程について説明する。まず、図１（ａ）に示すように、金属製の薄板（例えば、厚さ０．３ｍｍ程度の銅板）に段加工を施して、該薄板上面の略中央に長手方向に沿って帯状の段部を形成する。なお、図では薄板の一部分を示している。次に、薄板にプレス加工（打抜き加工）を施して、図１（ｂ）に示すような製造用フレーム（１）を作成する。製造フレーム（１）は、長手方向に沿って延びる一対のサイドフレーム部材（１１）（１１）を有しており、これらサイドフレーム部材（１１）の一方からは陽極端子用部材（１２）が、内側に向けて突出しており、また、該陽極端子用部材（１２）と対向するように、陰極端子用部材（１３）が、他方のサイドフレーム部材（１１）から内側に向けて突出している。端子用部材（１２）（１３）の対は、製造用フレーム（１）の長手方向に複数形成されている。製造用フレーム（１）の長手方向における陰極端子用部材（１３）の幅は、陽極端子用部材（１２）の幅と同じ程度にされている。図１（ｂ）は、製造用フレーム（１）の一部を示しており、同図では示されていないがサイドフレーム部材（１１）（１１）は両端部において連結されている。なお、両サイドフレーム部材（１１）（１１）の連結箇所は両端に限られず、端子用部材（１２）（１３）対の間の任意の箇所に設けてもよい。
【００２１】
陽極端子用部材（１２）は直方体状に形成されており、その先端付近に貫通孔（２１）が垂直方向に形成されている。陰極端子用部材（１３）は、垂直方向の厚さが異なる段状に形成され、陰極端子用部材（１３）の先端側が先述の段加工部位に当たる低段部になっている。陰極端子用部材（１３）の高段部には、低段部付近に貫通孔（２２）が垂直に形成されている。本実施例では、これら貫通孔（２１）（２２）を角孔としている。
【００２２】
図１（ｂ）に示すような製造用フレーム（１）が作成されると、電解メッキ処理を行って、該製造用フレーム（１）の表面にメッキ層（２３）を形成する。本実施例では、製造用フレーム（１）のほぼ表面に亘ってメッキ層（２３）を形成しており（例えば、メッキ処理の際に製造用フレーム（１）を支持する部材が当接する部分には形成されない）、上記貫通孔（２１）（２２）の内面にもメッキ層（２３）が生成される。メッキ層（２３）は、例えばＮｉ／Ｐｄ／Ａｕによって形成される。なお、本発明の目的から、少なくとも、陽極端子用部材（１２）及び陰極端子用部材（１３）を夫々切断する垂直面（後述するＡ-Ａ、Ｂ-Ｂ）よりも内側の領域において、陽極端子用部材（１２）及び陰極端子用部材（１３）にメッキ層（２３）が形成されていればよい。
【００２３】
製造用フレーム（１）の電解メッキ処理後に、図２（ａ）に示すように、コンデンサ素子（３１）を製造用フレーム（１）に接合する。コンデンサ素子（３１）は、タンタル等の弁金属焼結体のブロック（３３）を基礎にして作成されており、陽極引出線（３２）は、該焼結体ブロック（３３）に埋設され、その表面から突出している。図示は省略するが、焼結体ブロック（３３）の表面には、陽極酸化によって誘電体酸化被膜が形成されており、誘電体酸化被膜上には、電解重合又は化学重合によってポリピロール等の導電性高分子による固体電解質層が形成されている。固体電解質層上には、カーボン層及び銀ペイント層からなる陰極層が形成されている。
【００２４】
陽極引出線（３２）の先端部は、電気溶接等によって陽極電極用部材（１２）の先端部上面に接合される。陽極引出線（３１）の先端端面は、貫通孔（２１）の陽極引出線（３２）側に位置する内面（２１ａ）よりも内側に位置するのが好ましい。焼結体ブロック（３３）の下面、及び陽極引出線（３２）と反対側に位置する側面は、陽極端子用部材（１２）の低段部上面、及び該低段部上面と高段部上面を繋ぐ垂直面とそれぞれ接合される。製造用フレーム（１）への焼結体ブロック（３３）の接合には導電性接着剤が用いられる。
【００２５】
次に、樹脂モールドによって、製造用フレーム（１）に接合された各コンデンサ素子（３１）毎に外装樹脂部（３４）を形成する。図３は、トランスファモールドを用いて外装樹脂部（３４）を形成する模様を示すコンデンサ素子（３１）周辺の垂直断面図である。コンデンサ素子（３１）が接合された製造用フレーム（１）を下側金型（５１）に装着し、上側金型（５２）を下側金型（５１）上に載置すると、コンデンサ素子（３１）の周囲に内部空間（５３）が形成される。そして、この内部空間（５３）に溶融したエポキシ樹脂を注入し、該エポキシ樹脂が硬化するとコンデンサ素子（３１）を覆う外装樹脂部（３４）が形成される。
金型（５１）（５２）は、陽極端子用部材（１２）の貫通孔（２１）内、及び陰極端子用部材（１３）の貫通孔（２２）内に樹脂が入り込まないように構成される。実施例では、これら貫通孔（２１）（２２）は、上側金型（５２）及び下側金型（５１）の面部によって塞がれているが、必ずしもこのような構成にする必要はなく、樹脂モールドの際に、内部空間（５３）と貫通孔（２１）（２２）とに通じる空間が存在しなければ十分である。
【００２６】
図２（ｂ）は、製造用フレーム（１）に接合された各コンデンサ素子（３１）を覆う外装樹脂部（３４）が形成された状態を示す斜視図である。外装樹脂部（３４）の外面は、略直方体状に形成されており、サイドフレーム（１１）（１１）側の両側面は、貫通孔（２１）（２２）よりも内側に位置している。つまり、貫通孔（２１）（２２）を残して外装樹脂部（３４）が形成されている。外装樹脂部（３４）を形成した後は、貫通孔（２１）を通る垂直平面Ａ-Ａ、及び貫通孔（２２）を通る垂直平面Ｂ-Ｂにて、陽極端子用部材（１２）及び陰極端子用部材（１３）をそれぞれ切断して、固体電解コンデンサ（３）を製造用フレーム（１）から分離する。
【００２７】
図２（ｃ）は、取り出された固体電解コンデンサ（３）の斜視図である。図４は、基板（８）に実装された固体電解コンデンサ（３）の垂直断面図である。垂直断面が直方形状である陽極端子（３５）が、コンデンサ素子（３１）の陽極引出線（３２）の下側に接合しており、垂直断面がＬ字状である陰極端子（３６）が、焼結体ブロック（３３）の下面及び側面と接合している。陽極端子（３５）は、貫通孔（２１）内面の一部を含む陽極端子用部材（１２）の先端部によって構成され、陰極端子（３６）は、貫通孔（２２）内面の一部を含む陰極端子用部材（１３）の先端部によって構成されている。外装樹脂部（３４）は、コンデンサ素子（３１）を覆うように形成されており、固体電解コンデンサ（３）は全体として略直方体状に形成されている。固体電解コンデンサ（３）の下面が、実装時に基板（８）側に位置する実装面となっており、該実装面では、陽極端子（３５）及び陰極端子（３６）の下面部が外装樹脂部（３４）から露出している。また、実装面に垂直な固体電解コンデンサ（３）の第１側面では、陽極端子（３５）の側面部が外装樹脂部（３４）から露出しており、該第１側面と対向する第２側面では、陰極端子（３６）の側面部が外装樹脂部（３４）から露出している。
【００２８】
前記第１側面において外装樹脂から露出した陽極端子（３５）の第１側面露出部、及び前記第２側面において外装樹脂から露出した陰極端子（３６）の第２側面露出部には、下方（実装面側）及び上方に開いた窪み（３７）（３８）が夫々形成されている。これら窪み（３７）（３８）は、平面部と、該平面部の両側に夫々形成された凸部（３９）の内面とで構成されている。固体電解コンデンサ（３）の分離に伴って形成された切断面である凸部側面（３９ａ）を除いて、陽極端子（３５）及び陰極端子（３６）はメッキ層（２３）で覆われている。凸部側面（３９ａ）には、メッキ層（２３）によって縁取られた陽極端子（３５）及び陰極端子（３６）の地金が露出している。
【００２９】
固体電解コンデンサ（３）は半田（９）を用いて基板（８）に接合され、半田（９）は、陽極端子（３５）の下面、及び陰極端子（３６）の下面と基板（８）の間に層状に介在し、さらに、固体電解コンデンサ（３）の側方において山状になる。半田（９）の山状の部分は、窪み（３７）（３８）の平面部と接合するが、これら平面部はメッキ層（２３）にて覆われているので、半田（９）と平面部（３７）（３８）とは高強度で接合する。平面部の両側に凸部（３９）が形成されているので、半田付けの際に融けた半田（９）の流動が規制され、半田（９）が外装樹脂部（３４）へはみ出る事態が防止されている。
【００３０】
次に、本発明の第２実施例について説明する。図５（ａ）に示すように、金属製の薄板を切削及びプレス加工又はエッチング加工して、第１実施例と同様な製造用フレーム（１）を作成する。しかしながら、第２実施例における製造用フレーム（１）には、第１実施例のような貫通孔（２１）（２２）を形成せず、これらの代わりに、陽極端子用部材（１２）及び陰極端子用部材（１３）の下面に直方体状の凹部（２４）（２５）を形成する。凹部（２４）（２５）は、例えばエッチング処理によって形成される。図５（ｂ）は、製造用フレーム（１）を裏返した状態の斜視図である。製造用フレーム（１）に凹部（２４）（２５）を形成した後、第１実施例と同様に該製造用フレーム（１）にメッキ処理を行ってメッキ層（２３）を形成する。凹部（２４）（２５）内面にもメッキ層（２３）は形成される。そして、図５（ｃ）に示すように、製造用フレーム（１）にコンデンサ素子（３）を接合する。なお、製造用フレーム（１）にメッキ層（２３）を形成する範囲であるが、少なくとも後述する垂直面（Ｃ-Ｃ、Ｄ-Ｄ）よりも内側の領域において、陽極端子用部材（１２）及び陰極端子用部材（１３）にメッキ層（２３）が形成されていればよい。
【００３１】
次に、図６（ａ）に示すように、樹脂モールドによってコンデンサ素子（３）を覆う外装樹脂部（３４）を形成する。第１実施例では、各コンデンサ素子（３）ごとに個別に外装樹脂部（３４）を形成したが、第２実施例では、全てのコンデンサ素子（３）を覆うに外装樹脂部（３４）を形成している。勿論、第２実施例でも、各コンデンサ素子（３）ごとに外装樹脂部（３４）を形成してもよい。
【００３２】
図７は、外装樹脂部（３４）を形成する模様を示す断面図である。コンデンサ素子（３１）が接合された製造用フレーム（１）を下側金型（５１）に装着し、枠状に形成された上側金型（５２）を該下側金型（５１）上に載置する。上側金型（５２）は、全てのコンデンサ素子（３１）を囲うように配置される。これら金型（５１）（５２）によってコンデンサ素子（３１）の周囲に形成された内部空間（５３）は上方に開いており、該内部空間（５３）に上方からエポキシ樹脂を流し込むことにより、外装樹脂部（３４）をコンデンサ素子（３１）の周囲に形成する。
【００３３】
図６（ａ）のように外装樹脂部（３４）を形成した後、凹部（２４）を通る垂直平面Ｃ-Ｃ、及び凹部（２５）を通る垂直平面Ｄ-Ｄにて、陽極端子用部材（１２）及び陰極端子用部材（１３）を夫々切断する。本実施例では、これら凹部（２４）（２５）上方において端子用部材（１２）（１３）の上にも外装樹脂部（３４）が形成されているので、この際に該樹脂層（３４）の一部も切り取られる。その後、各コンデンサ素子（３１）間で外装樹脂部（３４）を垂直平面で切断することにより、図６（ｂ）に示すように固体電解コンデンサ（３）が完成する。
【００３４】
図８は、本実施例で製造された固体電解コンデンサ（３）が基板（８）に実装された状態を示す垂直断面図である。第２実施例によって製造された固体電解コンデンサ（３）は、陽極端子（３５）及び陰極端子（３６）の側面部を除いて、第１実施例によって製造されたものと同じ構成をしている。陽極端子（３５）及び陰極端子（３６）の側面部には、下方に開いた窪み（４０）（４１）がそれぞれ形成されている。これら窪みは、凹部（２４）（２５）が分断されることによって形成されたものであり、凹部（２４）（２５）の内面にメッキ層（２３）を形成したので、窪みを構成する各面にもメッキ層（２３）が形成されている。よって、半田（９）を用いて固体電解コンデンサ（３）を基板（８）に接合すると、該コンデンサ（３）の側方に形成される半田（９）の山状の部分は、陽極端子（３５）及び陰極端子（３６）の窪み（４０）（４１）の底面と高強度で接合する。また、窪み（４０）（４１）は、半田付けの際に、融けた半田（９）の流動を規制して、半田（９）が外装樹脂部（３４）にはみ出さないようにする働きをする。窪み（４０）（４１）を囲む面部（４２）（４３）は、陽極端子用部材（１２）又は陰極端子用部材（１３）の切断面であり、メッキ層（２３）に覆われていない（これら面部（４２）（４３）はメッキ層（２３）で縁取られているだけである）。
【００３５】
第１実施例では、貫通孔（２１）（２２）を角孔としたが、本発明の実施において、製造された固体電解コンデンサ（３）陽極端子（３５）及び陰極端子（３６）と、半田（９）の山状部分との接触面積が十分に確保できれば、貫通孔（２１）（２２）の形状は特に限定されない。第２実施例における凹部（２４）（２５）についても同様である。
【００３６】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【００３７】
【図１】本発明の第１実施例に係る製造用フレームを作成する工程を示す斜視図である。
【図２】本発明の第１実施例の工程を示す斜視図である。
【図３】本発明の第１実施例において外装樹脂部を形成する模様を示す、コンデンサ素子周辺の垂直断面図である。
【図４】本発明の第１実施例によって製造されたチップ型固体電解コンデンサが基板に実装された状態を示す垂直断面図である。
【図５】本発明の第２実施例の工程を示す斜視図である。
【図６】本発明の第２実施例の工程を示す斜視図である。
【図７】本発明の第２実施例において外装樹脂部を形成する模様を示す、コンデンサ素子周辺の垂直断面図である。
【図８】本発明の第２実施例によって製造されたチップ型固体電解コンデンサ基板に実装された状態を示す垂直断面図である。
【図９】従来のチップ型固体電解コンデンサの製造方法を示す側面図である。
【図１０】従来のチップ型固体電解コンデンサの製造方法を示す斜視図である。
【符号の説明】
【００３８】
（１）    製造用フレーム
（３）    固体電解コンデンサ
（８）    基板
（１１）  サイドフレーム部材
（１２）  陽極端子用部材
（１３）  陰極端子用部材
（２１）  貫通孔
（２２）  貫通孔
（２３）  メッキ層
（２４）  凹部
（２５）  凹部
（３１）  コンデンサ素子
（３２）  陽極引出線
（３３）  焼結体ブロック
（３４）  外装樹脂部
（３５）  陽極端子
（３６）  陰極端子
（３７）  窪み
（３８）  窪み
（４０）  窪み
（４１）  窪み
【図１】
2006108709.tif 000003
【図２】
2006108709.tif 000004
【図３】
2006108709.tif 000005
【図４】
2006108709.tif 000006
【図５】
2006108709.tif 000007
【図６】
2006108709.tif 000008
【図７】
2006108709.tif 000009
【図８】
2006108709.tif 000010
【図９】
2006108709.tif 000011
【図１０】
2006108709.tif 000012